(57)【要約】【課題】良好な施工性、メンテナンス性を有すると共に、太陽電池モジュールを屋根にしっかり固定可能な太陽光発電装置を提供する。【解決手段】実施形態の一例である太陽光発電装置１０は、太陽電池モジュール１１Ｂの外溝２４Ｂに挿し込まれる係合部４０を有し、屋根１００に固定されて太陽電池モジュール１１Ａ，１１Ｂのフレーム１３Ａ，１３Ｂを支持するベース金具３０と、ベース金具３０に挿し込まれる鉤部５４と、太陽電池モジュール１１Ａの外溝２４Ａに挿し込まれる凸状部５２とを有し、ベース金具３０上において係合部４０の軒側に配置される第１固定金具５０と、係合部４０に対して第１固定金具５０を固定するための第２固定金具６０とを備える。【選択図】図７
2018040230.tif 000002
【特許請求の範囲】
【請求項１】
太陽電池パネルと、当該パネルの端部に設置されたフレームとをそれぞれ有し、屋根の軒棟方向に隣り合って配置される第１及び第２の太陽電池モジュールを備え、前記各フレームがモジュールの外側に向かって開口した外溝を有する太陽光発電装置であって、
前記第２の太陽電池モジュールの前記外溝に挿し込まれる係合部を有し、前記屋根に固定されて前記各太陽電池モジュールの前記各フレームを支持するベース金具と、
前記ベース金具に挿し込まれる鉤部と、前記第１の太陽電池モジュールの前記外溝に挿し込まれる凸状部とを有し、前記ベース金具上において前記係合部の軒側に配置される第１固定金具と、
前記ベース金具に対して前記第１固定金具を固定するための第２固定金具と、
を備える、太陽光発電装置。
【請求項２】
前記屋根の野地板上に敷設されるベースプレートを備え、
前記ベース金具は、前記ベースプレート上に取り付けられている、請求項１に記載の太陽光発電装置。
【請求項３】
前記ベース金具は、前記各フレームが前記屋根の野地板に対して同じ高さとなるように支持する上面部を有し、
前記上面部には、前記第２固定金具が係合する立壁部が立設している、請求項１又は２に記載の太陽光発電装置。
【請求項４】
前記ベース金具は、前記第１固定金具の前記鉤部が挿し込まれる係合溝を有し、
前記係合溝は、前記立壁部に隣接して設けられている、請求項３に記載の太陽光発電装置。
【請求項５】
前記ベース金具及び前記第１固定金具には、前記第２固定金具が係合する貫通孔がそれぞれ形成されている、請求項１〜４のいずれか１項に記載の太陽光発電装置。
【請求項６】
前記第２固定金具は、前記各フレームに食い込む突起を有する、請求項１〜５のいずれか１項に記載の太陽光発電装置。
【請求項７】
前記太陽光発電装置の軒側端部に取り付けられる軒カバーと、
前記第１の太陽電池モジュールの前記外溝に挿し込まれる軒側係合部と、前記第１固定金具の前記鉤部が挿し込まれる軒側係合溝とを有し、前記屋根に固定されて前記軒カバー及び前記第１の太陽電池モジュールの前記フレームを支持する軒側ベース金具と、
を備え、
前記第２固定金具は、前記軒側ベース金具に対して前記第１固定金具を固定する、請求項１〜６のいずれか１項に記載の太陽光発電装置。
【発明の詳細な説明】
【技術分野】
【０００１】
本開示は、太陽光発電装置に関する。
【背景技術】
【０００２】
太陽光発電装置は、屋根に複数の太陽電池モジュールを取り付けて構築されている。例えば、特許文献１には、屋根上に所定間隔で設置された横桟のフレーム取付部に、太陽電池モジュールの下辺フレームの上下フランジを係合することで太陽電池モジュールを固定してなる太陽光発電装置が開示されている。
【先行技術文献】
【特許文献】
【０００３】
【特許文献１】再表２０１２／０９６２９７号公報
【発明の概要】
【発明が解決しようとする課題】
【０００４】
ところで、太陽光発電装置において、良好な施工性、メンテナンス性を確保しながら、太陽電池モジュールを屋根にしっかり固定できることは重要である。メンテナンス性に関して言えば、太陽光発電装置を構成する複数の太陽電池モジュールのうち一部のモジュールだけを容易に取り外して交換できることが求められている。
【課題を解決するための手段】
【０００５】
本開示の一態様である太陽光発電装置は、太陽電池パネルと、当該パネルの端部に設置されたフレームとをそれぞれ有し、屋根の軒棟方向に隣り合って配置される第１及び第２の太陽電池モジュールを備え、前記各フレームがモジュールの外側に向かって開口した外溝を有する太陽光発電装置であって、前記第２の太陽電池モジュールの前記外溝に挿し込まれる係合部を有し、前記屋根に固定されて前記各太陽電池モジュールの前記各フレームを支持するベース金具と、前記ベース金具に挿し込まれる鉤部と、前記第１の太陽電池モジュールの前記外溝に挿し込まれる凸状部とを有し、前記ベース金具上において前記係合部の軒側に配置される第１固定金具と、前記ベース金具に対して前記第１固定金具を固定するための第２固定金具とを備える。
【発明の効果】
【０００６】
本開示の一態様によれば、良好な施工性、メンテナンス性を有すると共に、太陽電池モジュールを屋根にしっかり固定可能な太陽光発電装置を提供できる。
【図面の簡単な説明】
【０００７】
【図１】実施形態の一例である太陽光発電装置の平面図である。
【図２】実施形態の一例である太陽電池モジュールの断面図である。
【図３】実施形態の一例である太陽光発電装置の分解斜視図である。
【図４】実施形態の一例であるベース金具の平面図である。
【図５】実施形態の一例であるベース金具の正面図である。
【図６】図５中のＣＣ線断面図である。
【図７】図１中のＡＡ線断面図である。
【図８】実施形態の一例である第１固定金具の斜視図である。
【図９】実施形態の一例である第２固定金具の斜視図である。
【図１０】図１中のＢＢ線断面図である。
【図１１】実施形態の一例である太陽光発電装置の施工方法を説明するための図である。
【図１２】実施形態の一例である太陽光発電装置の施工方法を説明するための図である。
【発明を実施するための形態】
【０００８】
本開示の一態様である太陽光発電装置は、棟側の太陽電池モジュールに係合する係合部を有するベース金具と、ベース金具に挿し込まれて軒側の太陽電池モジュールに係合する第１固定金具と、ベース金具に対して第１固定金具を固定する第２固定金具とを備える。かかる構成によれば、２枚の太陽電池モジュールをベース金具上に載せて、２つの固定金具を取り付けるという簡単な方法によって、太陽光発電装置を施工できる。また、第２固定金具を取り外すことにより、例えば太陽光発電装置を構成する複数の太陽電池モジュールのうち１つのモジュールだけを容易に取り外して交換できる。各太陽電池モジュールは屋根にネジ止めされたベース金具上にしっかり固定され、優れた耐荷重性を有する太陽光発電装置が構築される。
【０００９】
以下、図面を参照しながら、実施形態の一例について詳細に説明する。実施形態において参照する図面は、模式的に記載されたものであるから、図面に描画された構成要素の寸法などは、以下の説明を参酌して判断されるべきである。本明細書において、「略〜」との記載は、略同一を例に説明すると、完全に同一はもとより、実質的に同一と認められる場合を含む意図である。以下で説明する実施形態は例示であって、本開示の太陽光発電装置はこれに限定されない。
【００１０】
以下では、屋根の軒棟方向に沿うベース金具等の方向を「縦方向」という場合があり、屋根の桁方向（屋根の軒棟方向に垂直な方向）に沿うベース金具等の方向を「横方向（左右）」、屋根の野地板に垂直な方向に沿うベース金具等の方向を「上下方向」という。図面には、屋根の軒棟方向・縦方向を矢印α、桁方向・横方向を矢印β、上下方向を矢印γで示す。
【００１１】
図１は、実施形態の一例である太陽光発電装置１０の平面図である。図２は太陽光発電装置１０を構成する太陽電池モジュール１１の断面図、図３は太陽光発電装置１０の分解斜視図である。図１に例示するように、太陽光発電装置１０は、屋根１００の軒棟方向に隣り合って配置される太陽電池モジュール１１Ａ（第１の太陽電池モジュール）及び太陽電池モジュール１１Ｂ（第２の太陽電池モジュール）を備える。太陽光発電装置１０は、屋根１００に複数の太陽電池モジュール１１（１１Ａ，１１Ｂ）を取り付けて構築されている。
【００１２】
本明細書では、説明の便宜上、軒棟方向に隣り合って配置される２枚の太陽電池モジュール１１について、軒側に配置されるモジュールを太陽電池モジュール１１Ａ、棟側に配置されるモジュールを太陽電池モジュール１１Ｂとする。本実施形態では、全ての太陽電池モジュール１１が同じ形状を有する。
【００１３】
図１〜図３に例示するように、各太陽電池モジュール１１は、太陽電池パネル１２と、当該パネルの端部に設置されたフレーム１３とをそれぞれ有し、各フレーム１３がモジュールの外側に向かって開口した外溝２４（図２参照）を有する。詳しくは後述するが（図７参照）、太陽光発電装置１０は、ベース金具３０と、第１固定金具５０と、第２固定金具６０とを備える。ベース金具３０は、太陽電池モジュール１１Ｂの外溝２４Ｂに挿し込まれる係合部４０を有し、屋根１００に固定されて太陽電池モジュール１１Ａ，１１Ｂのフレーム１３Ａ，１３Ｂを支持する。第１固定金具５０は、ベース金具３０に挿し込まれる鉤部５４と、太陽電池モジュール１１Ａの外溝２４Ａに挿し込まれる凸状部５２とを有し、ベース金具３０上において係合部４０の軒側に配置される。第２固定金具６０は、ベース金具３０に対して第１固定金具５０を固定するための金具である。
【００１４】
太陽光発電装置１０は、屋根１００の桁方向に沿った太陽電池モジュール１１の列を複数有する。本実施形態では、平面視矩形形状の太陽電池モジュール１１の短辺が軒棟方向に略平行で、短辺同士が略接触した状態で各列を構成する複数の太陽電池モジュール１１が配置されている。図１に示す例では、各列を構成する太陽電池モジュール１１の数が同数であるが、太陽光発電装置を構成する太陽電池モジュールの数、配置等は特に限定されず、例えば太陽電池モジュールは千鳥状に配置されてもよい。
【００１５】
太陽光発電装置１０は、屋根１００の野地板１０２上に敷設されるベースプレート１４を備える。そして、ベース金具３０はベースプレート１４上に取り付けられる。屋根１００には、太陽光発電装置１０の周囲の少なくとも一部に屋根材１０１が配置される。一方、太陽光発電装置１０の下に屋根材１０１は配置されない。屋根材１０１としては、和瓦、洋瓦、平板瓦、スレート瓦等が例示できる。太陽光発電装置１０が設置可能な屋根１００の形状は特に限定されず、例えば寄棟屋根、方形屋根、切妻屋根のいずれであってもよい。なお、太陽光発電装置はベースプレート１４を有さない形態としてもよい。この場合、例えばベース金具３０が屋根材１０１上に配置され、野地板１０２に固定される。
【００１６】
太陽電池モジュール１１は、例えば平面視矩形形状の太陽電池パネル１２の四方を囲んでフレーム１３が設置された構造を有する。フレーム１３は、例えばアルミニウムを主成分とする金属材料を押出成形して得られる。フレーム１３の表面には、一般的に塗膜が形成されている。
【００１７】
図２に例示するように、フレーム１３は、中空の角柱形状を有する本体部２０と、モジュールの内側に向かって開口した内溝２２と、モジュールの外側に向かって開口した外溝２４とを有する。また、フレーム１３はモジュールの内側に張り出した内鍔部２５を有する。フレーム１３は、本体部２０の上面に立設した鉤部２１を有し、本体部２０の上面と鉤部２１との間に太陽電池パネル１２を挿入可能な隙間である内溝２２が形成される。鉤部２１は、本体部２０の外側から上方に真っ直ぐ延び、途中で内側に折れ曲がって断面略Ｌ字状に形成されている。フレーム１３には、内鍔部２５と反対側（外側）に延びた底板２３が設けられ、本体部２０の下面と底板２３との間に外溝２４が形成される。
【００１８】
図３に例示するように、ベースプレート１４は、野地板１０２上に複数敷設される。本実施形態では、ベースプレート１４を貫通するネジによって、ベース金具３０が野地板１０２に直接固定される。ベースプレート１４は、例えば平面視矩形形状の板金であって、ベース金具３０と共に野地板１０２に固定される。ベース金具３０は野地板１０２上に直接固定することも可能であるが、ベースプレート１４を用いることでベース金具３０の位置合わせが容易になり施工性が向上する。
【００１９】
ベースプレート１４は、例えば１枚の太陽電池モジュール１１の裏側に２枚ずつ設けられる。ベースプレート１４は、例えば屋根１００の軒側の桁方向一方側（以下、「左側」とする）から野地板１０２上に配置される。左側に配置されるベースプレート１４上には、桁方向他方側（以下、「右側」とする）に隣接配置されるベースプレート１４の一部が重ねられる。また、軒側に配置されるベースプレート１４上には、棟側に隣接配置されるベースプレート１４の一部が重ねられる。このようにして、ベースプレート１４は軒側の左から棟側の右に向かって順に設置される。
【００２０】
ベースプレート１４（下のベースプレート）の上に重ねられるベースプレート１４（上のベースプレート）は、下のベースプレート１４に設置されるベース金具３０によって上に浮き上がらないように押えられる。即ち、上のベースプレート１４の端部は、下のベースプレート１４とベース金具３０との間に挿し込まれ、ベース金具３０はベースプレート１４の浮き止めとしても機能する。太陽光発電装置１０の横方向両端部にはサイドプレート１５が、軒側端部には軒先ベースプレート１６がそれぞれ設けられる。一般的に、野地板１０２の上には防水シートが設けられ、ベースプレート１４の縁部等には防水テープが貼着される（いずれも図示せず）。
【００２１】
ベース金具３０は、屋根１００の桁方向に沿って、各ベースプレート１４の棟側端部に１つずつ配置される。桁方向に隣接配置される各ベース金具３０は、互いに接続され、桁方向に沿って一列に並ぶことが好ましい。本実施形態では、上述のように、各ベースプレート１４の端部同士を重ねて配置する。各ベースプレート１４の横方向長さは、ベース金具３０の横方向長さより長く、ベースプレート１４の横方向両端部がベース金具３０の横方向両端から延出している。
【００２２】
太陽光発電装置１０の軒側端部には、軒カバー９０が設けられる。また、太陽光発電装置１０の棟側端部には棟カバー９５（図１参照）が設けられる。軒カバー９０及び棟カバー９５は、屋根１００の桁方向に延びる金属製の部材であって、例えば太陽電池モジュール１１の長辺と略同じ長さを有する。本実施形態では、軒カバー９０が軒先ベースプレート１６上に設置された軒側ベース金具７０上に固定され、棟カバー９５がベース金具３０上に固定される。
【００２３】
１枚の太陽電池モジュール１１の裏側には、例えば２枚のベースプレート１４が敷設され、少なくとも４本のベース金具３０、又はベース金具３０と軒側ベース金具７０が２本ずつ配置される。１枚の太陽電池モジュール１１は、４本のベース金具上に載せられて支持される。
【００２４】
以下、図４〜図９を参照し、屋根１００に対する太陽電池モジュール１１Ａ，１１Ｂの取り付け構造、特にベース金具３０、第１固定金具５０、及び第２固定金具６０について詳説する。図４はベース金具３０の平面図、図５はベース金具３０の正面図、図６はベース金具３０の断面図（図５中のＣＣ線断面図）である。
【００２５】
図４〜図６に例示するように、ベース金具３０は、台座部３１と、固定部３２とを有する。台座部３１は、太陽電池モジュール１１Ａ，１１Ｂが載せられ、第１固定金具５０（図７，８参照）が取り付けられる部分である。太陽電池モジュール１１Ｂのフレーム１３Ｂと係合する係合部４０は、台座部３１に形成される。固定部３２は、ベースプレート１４を介して野地板１０２にネジ止めされる部分である。固定部３２は、略平坦な板状に形成されており、台座部３１の軒側端部から軒側に延びている。図４に示す例では、ベース金具３０の横方向中央から等距離の左右２箇所に固定部３２が設けられている。固定部３２には、ベースプレート１４を貫通して野地板１０２に固定されるネジ３３（後述の図７参照）を通すための貫通孔３４が複数形成される。
【００２６】
ベース金具３０は、フレーム１３Ａ，１３Ｂが屋根１００の野地板１０２に対して同じ高さとなるように支持する上面部３１ａを有し、上面部３１ａには、第２固定金具６０（図７，９参照）が係合する立壁部４１が立設している。本実施形態では、立壁部４１の中間部から係合部４０が棟側に突出している。上面部３１ａは、台座部３１の一部を構成する。台座部３１は、さらに、上面部３１ａの縦方向両端から下方にそれぞれ延びる側面部３１ｂ，３１ｃを有し、ベース金具３０の全長にわたって形成される。上面部３１ａのフレーム１３Ａ，１３Ｂが載せられる部分は、互いに略同じ高さで、野地板１０２と略平行に形成されている。
【００２７】
台座部３１は、棟側に隣接配置されたベースプレート１４の端部が挿し込まれる凹部３５（図６参照）と、右側に隣接配置されたベースプレート１４の端部が挿し込まれる切欠き３６（図５参照）とを有する。また、台座部３１の横方向中央部には切欠き３７（図５参照）が形成されている。切欠き３６，３７は側面部３１ｂ，３１ｃの下部を切欠いて形成される。切欠き３７は、各固定部３２の間に形成される。切欠き３７は、例えばベース金具３０によって雨水等が堰き止められることを防止するために形成される。また、切欠き３７には太陽電池モジュール１１に接続されるケーブルが通されてもよい。
【００２８】
ベース金具３０は、第１固定金具５０の鉤部５４が挿し込まれる係合溝３８を有する（図４，６参照）。係合溝３８は、係合部４０が突設された立壁部４１の軒側に隣接して設けられている。本実施形態では、立壁部４１が上面部３１ａの縦方向中央部に立設し、横方向に沿って延びている。係合溝３８も、上面部３１ａの縦方向中央部に形成され、横方向に沿って延びている。
【００２９】
係合溝３８は、上面部３１ａのフレーム１３Ａが載せられる部分（以下、「フレーム載置部」という場合がある）の下に形成される。換言すると、係合溝３８は、上面部３１ａに形成された凹部と、凹部の開口の一部を塞ぐフレーム載置部とで形成され、フレーム載置部で覆われない凹部の開口の残りの一部が、鉤部５４の挿し込み口（係合溝３８の開口）となる。係合溝３８は、台座部３１において後述の開口部４４を除く部分に横方向に沿って形成され、第１固定金具５０を横方向にスライド可能に保持する。係合溝３８に挿し込まれた第１固定金具５０は、フレーム載置部に引っ掛かることで上方に抜けない状態となり、第２固定金具６０によって台座部３１に固定される（図７参照）。
【００３０】
ベース金具３０は、上述のように、上面部３１ａに立設した立壁部４１と、立壁部４１の中間部から棟側に突出した係合部４０とを有する。立壁部４１は、第２固定金具６０が取り付けられる部分であって、上面部３１ａのフレーム１３Ａ，１３Ｂが載せられる部分に対して略垂直に形成されることが好ましい。係合部４０は、上面部３１ａとの間にフレーム１３Ｂの底板２３Ｂを挿入可能な隙間をあけて形成される。係合部４０は、立壁部４１に対して略垂直に形成されることが好ましい。
【００３１】
ベース金具３０及び第１固定金具５０には、第２固定金具６０が係合する貫通孔４３，５３がそれぞれ形成されている（貫通孔５３については後述の図８参照）。ベース金具３０の貫通孔４３は、立壁部４１において係合部４０よりも上方に形成される。本実施形態では、後述の開口部４４によって所定の間隔で分断された複数の立壁部４１が設けられている。そして、貫通孔４３は各立壁部４１に１つずつ形成される。貫通孔４３は、横方向に長い正面視略矩形形状を有するが、貫通孔の形状は特に限定されない。
【００３２】
ベース金具３０は、台座部３１の係合溝３８及び立壁部４１が設けられる部分を切除して形成された開口部４４を有する。図４に示す例では、ベース金具３０の横方向中央部、及びベース金具３０の横方向中央から略等距離の左右２箇所に、合計３つの開口部４４が形成されている。開口部４４は、例えば排水口として機能すると共に、第１固定金具５０を取り付ける際にも使用される。第１固定金具５０は、例えば１つのベース金具３０に対して１つ又は２つ以上取り付けられる。第１固定金具５０が複数取り付けられる場合、開口部４４は複数形成されることが好ましい。
【００３３】
台座部３１は、フレーム１３Ａの内鍔部２５Ａ上に張り出す鉤部４５と、フレーム１３Ｂの内鍔部２５Ｂの棟側に立設する棟側立壁部４６とを有することが好ましい。鉤部４５は、台座部３１の軒側端部において、上面部３１ａとの間に内鍔部２５Ａを挿入可能な隙間をあけて断面略Ｌ字状に形成されている。棟側立壁部４６は、台座部３１の棟側端部において、フレーム１３Ｂの設置に支障がない高さで、内鍔部２５Ｂの先端と対面する位置に形成されている。また、台座部３１は、後述のジョイント金具４７が挿入される部分であるジョイント挿入部４８を有する。ジョイント挿入部４８は、台座部３１の軒側に形成されている。
【００３４】
図７は、図１中のＡＡ線断面図であって、太陽電池モジュール１１Ａ，１１Ｂの境界部及びその近傍の断面図である。図７に例示するように、ベース金具３０は、太陽電池モジュール１１Ａの棟側端部と、太陽電池モジュール１１Ｂの軒側端部とに跨って設けられる。ベース金具３０は、太陽電池モジュール１１Ａの下で野地板１０２に固定されている。固定部３２に取り付けられたネジ３３は、ベースプレート１４を貫通して野地板１０２に固定される。太陽電池モジュール１１Ａ，１１Ｂのフレーム１３Ａ，１３Ｂは、台座部３１の上面部３１ａに載せられ、野地板１０２からの高さが互いに略同じとなるように支持されている。
【００３５】
フレーム１３Ｂは、上面部３１ａの立壁部４１よりも棟側に載せられ、係合部４０が外溝２４Ｂに挿し込まれることによって台座部３１に固定される。換言すると、上面部３１ａと係合部４０の間に底板２３Ｂが挿し込まれることによって、フレーム１３Ｂが台座部３１に固定される。フレーム１３Ｂの棟側には、内鍔部２５Ｂの先端と対面する位置に棟側立壁部４６が設けられているため、太陽電池モジュール１１Ｂの棟側への移動が防止される。
【００３６】
フレーム１３Ａは、第１固定金具５０を用いて台座部３１に固定される。第１固定金具５０は、上述のように、鉤部５４と、凸状部５２とを有し、台座部３１上において立壁部４１の軒側に隣接した状態で取り付けられる。第１固定金具５０は、鉤部５４が係合溝３８に挿し込まれることで、台座部３１に引っ掛かり上方に抜けない状態となる。そして、凸状部５２がフレーム１３Ａの外溝２４Ａに挿し込まれることで、フレーム１３Ａが台座部３１に固定される。フレーム１３Ａの軒側には、鉤部４５が設けられているため、例えば太陽電池モジュール１１Ａに負圧が作用したときに内鍔部２５Ａが上から押えられる。
【００３７】
太陽光発電装置１０では、断面略逆Ｕ字形状を有する第２固定金具６０が、立壁部４１及び第１固定金具５０を上から覆うように取り付けられる。第２固定金具６０は、ベース金具３０の立壁部４１及び第１固定金具５０の基部５１に固定される。ベース金具３０の立壁部４１、第１固定金具５０の基部５１、及び第２固定金具６０は、フレーム１３Ａ，１３Ｂによって挟持されている。
【００３８】
屋根１００の桁方向に隣接配置される各ベース金具３０は、ジョイント金具４７を用いて接続される。ジョイント金具４７は、長手方向に真っ直ぐに延びた長尺状部材である。ベース金具３０の台座部３１には、ジョイント金具４７の形状に対応したジョイント挿入部４８が形成されている。桁方向に隣接する２つのベース金具３０の各ジョイント挿入部４８に１本のジョイント金具４７を挿入することによって、当該各ベース金具３０が桁方向に真っ直ぐに並んだ状態で接続される。
【００３９】
図８は、第１固定金具５０の斜視図である。図７及び図８に例示するように、第１固定金具５０は、ベース金具３０の立壁部４１と接触し、立壁部４１と略平行に延びる基部５１を有する。基部５１は、上面部３１ａのフレーム１３Ａ，１３Ｂが載せられる部分に対して略垂直に設けられる。詳しくは後述するが、第１固定金具５０の取り付け及び取り外しは、ベース金具３０の立壁部４１が形成された部分と開口部４４との間で第１固定金具５０を横方向にスライドさせて行われる。このため、第１固定金具５０がフレーム１３Ａの外溝２４Ａに挿し込まれた状態で、基部５１の上端が立壁部４１の上端よりも上方に位置していることが好ましい。
【００４０】
第１固定金具５０では、鉤部５４及び凸状部５２が基部５１の下端部から軒側に突出している。凸状部５２は、基部５１に対して略垂直に形成されることが好ましい。鉤部５４は、基部５１の下端部から下方に真っ直ぐ延び、途中で軒側に折れ曲がって断面略Ｌ字状に形成されている。鉤部５４の軒側に延びる部分は、凸状部５２との間に底板２３Ａ及び上面部３１ａのフレーム載置部を挿入可能な間隔をあけて凸状部５２と略平行に形成される。
【００４１】
第１固定金具５０は、上下方向よりも横方向に長い板状の基部５１から凸状部５２及び鉤部５４が同じ方向に突出した形状を有する。図８に示す例では、凸状部５２及び鉤部５４が第１固定金具５０の横方向全長にわたって設けられている。基部５１に形成された貫通孔５３は、横方向に長い正面視略矩形形状を有するが、貫通孔の形状は特に限定されない。貫通孔５３は、基部５１の上下方向中央部において、基部５１の横方向片側に偏って形成されている。
【００４２】
図９は、第２固定金具６０の斜視図である。図７及び図９に例示するように、第２固定金具６０は、断面略逆Ｕ字形状を有する本体部６１と、本体部６１の下端部からそれぞれ突出した爪部（第１爪部６２及び第２爪部６３）とを有する。第１爪部６２は、ベース金具３０の貫通孔４３に係合する部分であって、本体部６１の棟側に位置する下端部から突出している。第２爪部６３は、第１固定金具５０の貫通孔５３（後述の図８参照）に係合する部分であって、本体部６１の軒側に位置する下端部から突出している。
【００４３】
第２固定金具６０は、さらに、各フレーム１３Ａ，１３Ｂに食い込む突起（第１突起６４及び第２突起６５）を有する。第１突起６４は本体部６１の棟側部分に形成されてフレーム１３Ｂの本体部２０Ｂに接触し、第２突起６５は本体部６１の軒側部分に形成されてフレーム１３Ａの本体部２０Ａに接触している。各突起はフレーム１３Ａ，１３Ｂの表面に形成された塗膜を突き破って各フレームを構成する金属に接触するため、第２固定金具６０を用いてアースをとることができる。
【００４４】
第２固定金具６０には、略逆Ｕ字形状の本体部６１の一方側（棟側部分）の横方向一端部に第１爪部６２が、本体部６１の他方側（軒側部分）の横方向他端部に第２爪部６３が、それぞれ形成されている。即ち、第１爪部６２及び第２爪部６３は第２固定金具６０の横方向に所定の間隔をあけて形成されている。第１爪部６２及び第２爪部６３は、貫通孔４３，５３に挿し込まれ易いように、いずれも本体部６１の下端部から内側に折れ曲がって形成されている。
【００４５】
図９に示す例では、第１突起６４が本体部６１の一方側（棟側部分）に２つ形成され、第２突起６５が本体部６１の他方側（軒側部分）に２つ形成されている。第１突起６４及び第２突起６５は、本体部６１の外側に突出していればよく、突起の形状、突出の程度等は適宜変更できる。第１突起６４及び第２突起６５は、例えば互いに同じ形状、寸法を有し、本体部６１を山形にカットした後、カット部に囲まれた部分を外側に折り曲げて形成される。
【００４６】
図１０は、図１中のＢＢ線断面図であって、太陽光発電装置１０の軒側端部及びその近傍の断面図である。図１０に例示するように、太陽光発電装置１０は、装置の軒側端部に取り付けられる軒カバー９０と、屋根１００に固定されて軒カバー９０及び太陽電池モジュール１１Ａのフレーム１３Ａを支持する軒側ベース金具７０とを備える。本実施形態では、軒側ベース金具７０に対する軒カバー９０の固定にも第１固定金具５０及び第２固定金具６０が用いられる。軒側ベース金具７０は、ベース金具３０と同様に、太陽電池モジュール１１Ａの外溝２４Ａに挿し込まれる係合部８０（軒側係合部）と、第１固定金具５０の鉤部５４が挿し込まれる係合溝７８（軒側係合溝）とを有する。そして、第２固定金具６０が軒側ベース金具７０に対して第１固定金具５０を固定する。
【００４７】
軒側ベース金具７０は、台座部７１と、固定部７２とを有し、凹部７５、係合溝７８、係合部８０、立壁部８１、鉤部８５、棟側立壁部８６、及びジョイント挿入部８８が設けられている点で、ベース金具３０と共通する。また、台座部７１には、ベース金具３０の場合と同様に、開口部、切欠き等が形成されている（いずれも図示せず）。但し、固定部７２は台座部７１の棟側端部から棟側に延びており、またジョイント挿入部８８は台座部７１の棟側に形成されている。
【００４８】
軒カバー９０は、軒側ベース金具７０等を隠すための化粧カバーである。軒カバー９０は、カバー本体９１と、軒側ベース金具７０に係合するＴ字部９２とを有する。カバー本体９１は、軒側ベース金具７０上に載せられた、中空の断面視略五角形状を有する第１の部分と、第１の部分から延出した板状の部分であって、軒先ベースプレート１６の近傍にわたって斜めに形成された第２の部分とを含む。Ｔ字部９２は、カバー本体９１の第１の部分の下端部から下方に突出している。
【００４９】
軒カバー９０は、台座部７１の立壁部８１よりも軒側に載せられ、Ｔ字部９２が台座部７１と係合することによって台座部７１に固定される。Ｔ字部９２は、係合溝７８に挿し込まれた第１固定金具５０と台座部７１の軒側端部に形成された鉤部８５とによって台座部７１に固定される。第１固定金具５０の凸状部５２は、カバー本体９１の第１の部分とＴ字部９２との間に挿し込まれている。
【００５０】
ここで、図１１及び図１２を参照しながら、太陽光発電装置１０の施工手順の一例を説明する。上記構成を備えた太陽光発電装置１０は、上述のように、ベースプレート１４、ベース金具３０、及び軒側ベース金具７０等を野地板１０２上に設置した後、太陽電池モジュール１１を屋根１００の軒側から順に配置して施工される。軒先ベースプレート１６上に設置された軒側ベース金具７０上には、第１固定金具５０及び第２固定金具６０を用いて軒カバー９０及び太陽電池モジュール１１Ａの軒側端部が固定される。次に、太陽電池モジュール１１Ａの棟側端部がベース金具３０上に固定され、太陽電池モジュール１１Ｂの軒側端部がベース金具３０上に固定される。
【００５１】
図１１に例示するように、太陽電池モジュール１１Ａの棟側端部をベース金具３０の台座部３１に固定する際には、まず、当該棟側端部に設置されたフレーム１３Ａの外溝２４Ａに第１固定金具５０の凸状部５２を挿し込む。これにより、第１固定金具５０がフレーム１３Ａに係合する。フレーム１３Ａの棟側には、ベース金具３０の立壁部４１が立設しているが、ベース金具３０には開口部４４が形成されているため、開口部４４においてフレーム１３Ａの外溝２４Ａに第１固定金具５０を挿し込むことができる。
【００５２】
続いて、図１２に例示するように、第１固定金具５０を横方向にスライドさせてフレーム１３Ａと立壁部４１との隙間に挿入する。このとき、立壁部４１に形成された貫通孔４３と、第１固定金具５０の基部５１に形成された貫通孔５３とが、第２固定金具６０の各爪部の間隔に対応した長さだけ横方向に離れるように、第１固定金具５０をスライドさせる。そして、立壁部４１及び第１固定金具５０の上から第２固定金具６０を嵌めて、第２固定金具６０の対応する爪部を貫通孔４３，５３にそれぞれ挿し込む。これにより、ベース金具３０に対して第１固定金具５０が固定される。
【００５３】
続いて、係合部４０が太陽電池モジュール１１Ｂの軒側端部に設置されたフレーム１３Ｂの外溝２４Ｂに挿し込まれるように、台座部３１の棟側部分に太陽電池モジュール１１Ｂを載置する。これにより、太陽電池モジュール１１Ａの棟側端部及び太陽電池モジュール１１Ｂの軒側端部が台座部３１に固定される。このとき、第２固定金具６０の第１突起６４がフレーム１３Ｂに、第２突起６５がフレーム１３Ａにそれぞれ食い込んだ状態となるため、上述のように、第２固定金具６０を用いてアースをとることができる。
【００５４】
なお、太陽光発電装置１０の軒側端部及び棟側端部における各太陽電池モジュール１１及びカバーの固定方法についても、太陽電池モジュール１１Ａ，１１Ｂの境界部における各モジュールの上記固定方法と同様である。
【００５５】
以上のように、上記構成を備えた太陽光発電装置１０によれば、良好な施工性、メンテナンス性を有すると共に、太陽電池モジュール１１を屋根にしっかり固定することができる。太陽光発電装置１０では、例えば目的とする太陽電池モジュール１１だけを容易に取り外して交換することができる。具体的には、交換対象の太陽電池モジュール１１に対応する第２固定金具６０をベース金具３０及び第１固定金具５０から取り外し、第１固定金具５０を開口部４４までスライドさせる。これにより、ベース金具３０の台座部３１から当該太陽電池モジュール１１を取り外すことが可能となる。太陽光発電装置１０は、優れた耐荷重性を有するにも関わらず、施工性、メンテナンス性が良好である。
【符号の説明】
【００５６】
１０  太陽光発電装置、１１，１１Ａ，１１Ｂ  太陽電池モジュール、１２  太陽電池パネル、１３，１３Ａ，１３Ｂ  フレーム、１４  ベースプレート、１５  サイドプレート、１６  軒先ベースプレート、２０，２０Ａ，２０Ｂ  本体部、２１  鉤部、２２  内溝、２３，２３Ａ，２３Ｂ  底板、２４，２４Ａ，２４Ｂ  外溝、２５，２５Ａ，２５Ｂ  内鍔部、３０  ベース金具、３１  台座部、３１ａ  上面部、３１ｂ，３１ｃ  側面部、３２  固定部、３３  ネジ、３４  貫通孔、３５  凹部、３６，３７  切欠き、３８  係合溝、４０  係合部、４１  立壁部、４３  貫通孔、４４  開口部、４５  鉤部、４６  棟側立壁部、４７  ジョイント金具、４８  ジョイント挿入部、５０  第１固定金具、５１  基部、５２  凸状部、５３  貫通孔、５４  鉤部、６０  第２固定金具、６１  本体部、６２  第１爪部、６３  第２爪部、６４  第１突起、６５  第２突起、７０  軒側ベース金具、７１  台座部、７２  固定部、７５  凹部、７８  係合溝、８０  係合部、８１  立壁部、８５  鉤部、８６  棟側立壁部、８８  ジョイント挿入部、９０  軒カバー、９１  カバー本体、９２  Ｔ字部、９５  棟カバー、１００  屋根、１０１  屋根材、１０２  野地板
【図１】
2018040230.tif 000003
【図２】
2018040230.tif 000004
【図３】
2018040230.tif 000005
【図４】
2018040230.tif 000006
【図５】
2018040230.tif 000007
【図６】
2018040230.tif 000008
【図７】
2018040230.tif 000009
【図８】
2018040230.tif 000010
【図９】
2018040230.tif 000011
【図１０】
2018040230.tif 000012
【図１１】
2018040230.tif 000013
【図１２】
2018040230.tif 000014